(57)【要約】【課題】容易に相手側毎の会話を聞くことが可能な通信装置を提供する。【解決手段】複数の相手側と会話を行う際に、相手側のＭＡＣアドレスと使用ＣＯＤＥＣ種別をメモリに格納し（Ｓ１００ステップ）、話者選択キーが押下され、ユーザが録音したい相手先が指定され（Ｓ１０３ステップ）、録音キーが押下されると（Ｓ１０５ステップ）、ＭＡＣアドレスと使用するＣＯＤＥＣ識別子と相手側の音声メッセージデータとをメモリに格納し（Ｓ１０８ステップ）、録音停止キーの押下により録音を停止する（Ｓ１０９、Ｓ１０１ステップ）。【選択図】　　　　図６
2004015359.tif 000002
【特許請求の範囲】
【請求項１】
複数の相手と同時に通話可能であり、送受信手段と、格納手段と、上記送受信手段が受信した音声データを相手毎に上記格納手段に格納するよう制御する制御手段とを有することを特徴とする通信装置。
【請求項２】
音声データを送受信する送受信手段と、該送受信手段が受信した音声データを格納する格納手段と、該格納手段に格納する音声データの相手側のアドレスを指定する入力手段と、制御手段とを有し、
上記制御手段は、上記送受信手段による音声データの送受信中に、上記入力手段から音声データを格納する相手側のアドレスの指定があると判定すると、上記送受信手段が受信している音声データの中から、上記入力手段により指定された相手側のアドレスの音声データのみ上記格納手段に格納するよう制御することを特徴とする通信装置。
【請求項３】
請求項１又は２に記載の通信装置であって、
上記格納手段には、ＭＡＣアドレスと該ＭＡＣアドレスに対応する音声メッセージ及びＣＯＤＥＣ識別子が格納されることを特徴とする通信装置。
【請求項４】
請求項１〜３に記載の通信装置であって、
上記送受信手段は、音声データをパケットデータとして送受信することを特徴とする通信装置。
【請求項５】
請求項１〜４に記載の通信装置であって、
上記通信装置は、ＶｏＩＰ電話機であることを特徴とする通信装置。
【発明の詳細な説明】
【０００１】
【発明の属する技術分野】
本発明は、特にＶＯＩＰ電話装置等の通信装置に関する。
【０００２】
【従来の技術】
近年では、音声データをパケットデータに変換して、ＩＰ（ＩｎｔｅｒｎｅｔＰｒｏｔｏｃｏｌ）網上でパケットデータを送信することにより、ＩＰ網を用いた通話を可能としたＶｏＩＰ（Ｖｏｉｃｅ　Ｏｖｅｒ　Ｉｎｔｅｒｎｅｔ　Ｐｒｏｔｏｃｏｌ）電話装置が製品化されている。
【０００３】
上記ＶｏＩＰ電話の呼制御プロトコルとしては、ＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ−Ｔｅｌｅｃｏｍｍｕｎｉｃａｔｉｏｎ　Ｓｅｃｔｏｒ）標準のＨ．３２３や、ＩＥＴＦ（Ｉｎｔｅｒｎｅｔ　Ｅｎｇｉｎｅｅｒｉｎｇ　Ｔａｓｋ　Ｆｏｒｃｅ）標準化のＳＩＰ（Ｓｅｓｓｉｏｎ　Ｉｎｉｔｉａｔｉｏｎ　Ｐｒｏｔｏｃｏｌ）等が挙げられる。
【０００４】
上記Ｈ．３２３では、データはバイナリ形式で記載され、上記ＳＩＰではデータはテキスト形式で記載される。又、データの送信時には、Ｈ．３２３では、データを符号化してビット列にしてからＩＰパケットで送信するのに対し、ＳＩＰではテキストデータのままＩＰパケットでデータを送信することが可能である。
【０００５】
上述した例えばＳＩＰのような呼制御プロトコルによりＶｏＩＰ電話間で呼を確立し、ＶｏＩＰ電話装置間でテレビ会議を行うことも可能である。
【０００６】
図１は、ＶｏＩＰ電話間でテレビ会議を行う為のシステム図である。
【０００７】
図１において、自端末であるＶｏＩＰ電話機１０と、複数のＶｏＩＰ電話機Ａ〜Ｃは、ＩＰ網２００と接続されており、更に、ＩＰ網２００には、ＳＩＰサーバ３００が接続されている。上記ＳＩＰサーバ３００は、クライアントがアドレスを登録する為のレジスタサーバ、クライアントの代わりにアドレスを検索する為のプロキシサーバ、クライアントから受信した接続要求のメッセージを他のアドレスに転送する際に、受信したアドレスを転送先のアドレスに書き換えて送信する為のリダイレクトサーバ、更には、クライアントが指示する送信先のアドレスを参照する為のデータベースであるロケーションサーバの機能を有している。
【０００８】
図２は、図１に示すシステムにおいて、ＳＩＰサーバ３００を介して各ＶｏＩＰ電話機が接続する為のシーケンス図である。
【０００９】
自端末１０と端末Ａとが接続する際には、先ずＳ１ステップにおいて、自端末１０からＳＩＰサーバ３００へＩＮＶＩＴＥ信号を送信する。ＳＩＰサーバ３００は、上記ＩＮＶＩＴＥ信号を受信することにより、上記自端末１０の代わりに端末Ａのアドレス先へ接続する為にＩＮＶＩＴＥ信号を端末Ａ宛てへ送信すると共に、ＳＩＰサーバ３００と相手端末Ａとの接続を実行中であることを示すＴＲＹＩＮＧ信号を自端末１０へ送信する。
【００１０】
尚、上記ＩＮＶＩＴＥ信号の中には、自端末１０が指定するＣＯＤＥＣ種別（例えば、ＩＴＵ−Ｔが定めるＧ．７１１やＧ．７２９等）のデータが含まれている。
【００１１】
Ｓ２ステップでは、相手端末Ａは、端末Ａのユーザを呼び出し中である（呼出し音を送出中である）ことを示すＲＩＮＧＩＮＧ信号をＳＩＰサーバ３００へ送り、ＳＩＰサーバ３００は上記ＲＩＮＧＩＮＧ信号を受信すると、ＲＩＮＧＩＮＧ信号を自端末１０へ送信する。
【００１２】
続いて、相手端末Ａのユーザが呼出し音に応答すると、相手端末ＡからＳＩＰサーバ３００へユーザが応答したことを示す２００ＯＫ信号を送信し、上記ＳＩＰサーバ３００は、上記２００ＯＫ信号の受信に応答して自端末１０へ上記２００ＯＫ信号を送信する。
【００１３】
尚、上記２００ＯＫ信号の中には、相手端末Ａが自端末１０に対して使用するＣＯＤＥＣ種別のデータが含まれている。
【００１４】
Ｓ３ステップにおいて、上記自端末１０は、上記２００ＯＫ信号の受信に応答して、ＡＣＫ信号をＳＩＰサーバ３００へ送信し、上記ＡＣＫ信号を受信したＳＩＰサーバ３００は、ＡＣＫ信号を相手端末Ａへ送信する。
【００１５】
その後、自端末１０と相手端末Ａとの間で通信が開始される。
【００１６】
尚、自端末１０と相手端末Ｂとの間で接続をする際には、上記Ｓ１〜Ｓ３ステップと同様にして接続が行われ（Ｓ４〜Ｓ６ステップ）、自端末１０と相手端末Ｃとの間で接続をする際にも、上記Ｓ１〜Ｓ３ステップと同様にして接続が行われる（Ｓ７〜Ｓ９ステップ）。
【００１７】
このようにして、自端末１０と相手端末Ａ〜Ｃが接続される。続いて、自端末１０は、上記端末Ａ〜Ｃから送られてくる音声メッセージを含んだパケットデータを受信し、上記パケットデータのヘッダを参照することにより、受信したパケットデータを送信した相手側毎に再構築し、スピーカから出力することにより、相手端末Ａ〜Ｃから送られてくる音声メッセージを出力し、自端末１０と相手端末Ａ〜Ｃとの間で会議を行うことができる。
【００１８】
尚、自端末１０側での音声メッセージの再生時には、夫々のメッセージを上記Ｓ２、Ｓ５、Ｓ８ステップにおいて格納したＣＯＤＥＣ識別子に対応した音声圧縮、伸長方式により圧縮、伸長を行い、再生する。
【００１９】
【発明が解決しようとする課題】
このような会議システムにおいては、ＳＩＰサーバ３００を介して複数の相手端末の通話データが１つのセッションとしてまとめて送信される為、自端末１０側のユーザは、複数の相手側が同時に話をしているように聞こえてしまう。この為、誰が何を話をしているかわからないという問題がある。また、複数の相手の会話をまとめて録音した内容を再生した場合においても、同様に誰が何を話しているのかわからないという問題が発生する。この為、例えば録音内容から議事録を作成する場合には、だれが何を話しているかわからない為に議事録を作成できないこととなる。
【００２０】
又、相手側からの音声信号をそのまま回線上で送信する、通常の公衆回線を用いた電話に対して、音声信号をパケットデータとして送信するＶｏＩＰ電話機では、音声データの劣化が問題となっており、このようなＶｏＩＰ電話機においては、複数の相手側からの音声を正確に聞くことは困難である。
【００２１】
【課題を解決するための手段】
本発明はこのような課題を解決する為のものであり、請求項１記載の通信装置は、複数の相手と同時に通話可能であり、送受信手段と、格納手段と、上記送受信手段が受信した音声データを相手毎に上記格納手段に格納するよう制御する制御手段とを有することを特徴とする。
【００２２】
請求項２記載の通信装置は、音声データを送受信する送受信手段と、該送受信手段が受信した音声データを格納する格納手段と、該格納手段に格納する音声データの相手側のアドレスを指定する入力手段と、制御手段とを有し、上記制御手段は、上記送受信手段による音声データの送受信中に、上記入力手段から音声データを格納する相手側のアドレスの指定があると判定すると、上記送受信手段が受信している音声データの中から、上記入力手段により指定された相手側のアドレスの音声データのみ上記格納手段に格納するよう制御することを特徴とする。
【００２３】
請求項３記載の通信装置は、請求項１又は２に記載の通信装置であって、上記格納手段には、ＭＡＣアドレスと該ＭＡＣアドレスに対応する音声メッセージ及びＣＯＤＥＣ識別子が格納されることを特徴とする。
【００２４】
請求項４記載の通信装置は、請求項１〜３に記載の通信装置であって、上記送受信手段は、音声データをパケットデータとして送受信することを特徴とする。
【００２５】
請求項５記載の通信装置は、請求項１〜４に記載の通信装置であって、上記通信装置は、ＶｏＩＰ電話機であることを特徴とする。
【００２６】
【発明の実施の形態】
本発明を適用してなる実施例装置では、複数の相手側からの音声データを相手側毎に格納し、再生時には、指定した相手側の音声データのみを再生するものである。
【００２７】
図１は、本実施例装置を使用する際のシステム図であり、図２は、上記図１のシステム図における接続手順を示すシーケンス図である。尚、図１及び図２の説明は従来技術と同じである為、省略する。
【００２８】
図３は、本実施例装置の斜視図であり、図４は、本実施例装置のブロック図である。
【００２９】
図４において、制御部１００は、以下に示す各回路の制御を司る。
【００３０】
ＤＳＰ（Ｄｉｇｉｔａｌ　Ｓｉｇｎａｌ　Ｐｒｏｃｅｓｓｏｒ）１１０は、データの圧縮、伸長、パケット化、パケットデータの分解等を行う。
【００３１】
ＩＰ網Ｉ／Ｆ部１２０では、データフレームの識別や転送等を行い、例えば、データリンクに接続されているノードを識別するためのＭＡＣアドレスの識別等を行う。
【００３２】
第１格納部１３０は、例えばＲＡＭ（Ｒａｎｄｕｍ　Ａｃｃｅｓｓ　Ｍｅｍｏｒｙ）からなり、ワークエリアとして使用される。
【００３３】
第２格納部１４０は、例えばフラッシュメモリからなり、図５に示す如くプログラムデータを格納する領域１４１、電話帳データを格納する領域１４２、その他、ＭＡＣアドレスや後述するＣＯＤＥＣ識別子等を一時的に格納する領域１４３、音声メッセージデータを格納する領域１４４を有する。
【００３４】
尚、上記電話帳データとして、相手側の電話番号データ（例えば、０５０−１２３−４５６７８＠ＡＢＣＤ．ｃｏ．ｊｐ；ｕｓｅｒ＝ｐｈｏｎｅ）や、ＩＰアドレス、ＭＡＣアドレス等が格納される。
【００３５】
又、上記第２格納部１４０の音声メッセージデータを格納する領域では、データは図５に示すような格納形態で格納される。図５において、アドレスの先頭から順に、送信元のＭＡＣアドレス、使用するＣＯＤＥＣ識別子、録音する時刻データ、音声メッセージデータが格納されている。上記音声メッセージデータは、ＭＡＣアドレスに対応して格納されている為、誰からの音声メッセージがどの領域に格納されているかは、上記送信元のＭＡＣアドレスから検索することが可能である。
【００３６】
外部Ｉ／Ｆ１５０は、例えば、シリアルインターフェイスから構成され、外部端末と通信を行う。
【００３７】
表示部１６０は、例えば液晶表示装置からなり、電話番号データや文字データ等を表示する。
【００３８】
入力部１７０は、図３の斜視図に示す如く、テンキー１７１、話者選択キー１７２、録音キー１７３、再生キー１７４、停止キー１７５、一時停止キー１７６等からなる。
【００３９】
上記話者選択キー１７２は、再生する音声メッセージを選択する為のキーであり、上記録音キー１７３は、会議内容を録音開始指示する為のキーである。又、上記再生キー１７４は、録音された音声メッセージを再生開始指示する為のキーであり、停止キー１７５は、音声メッセージの再生動作を停止指示する為のキーである。更に、一時停止キー１７６は、音声メッセージの再生を一時的に停止する為のキーである。
【００４０】
スピーカ１８０は、呼出音を出力する。
【００４１】
マイク１９０は、ユーザが発する音声信号を入力する為のマイクである。スピーカ２００は、ＩＰ網を介して入力した相手側からの音声信号を出力する為のスピーカである。上記マイク１９０とスピーカ２００は、自端末１０のユーザが他の端末Ａ〜Ｃと会議を行う際に使用する。
【００４２】
ハンドセット２１０は、ＩＰ網を介して接続された相手側と会話を行う際に使用するハンドセットである。
【００４３】
ＡＤＣ（Ａｎａｌｏｇ　Ｄｉｇｉｔａｌ　Ｃｏｎｖｅｒｔｅｒ）２２０は、マイク１９０或いはハンドセット２１０から入力した音声信号（アナログ信号）をデジタル信号に変換して上記ＤＳＰ１１０へ出力し、又、上記ＤＳＰ１１０からのデジタル信号をアナログ信号に変換して上記スピーカ２００又は上記ハンドセット２１０へ出力する。
【００４４】
次に、本実施例装置の動作について以下に説明する。
【００４５】
図６は、本実施例装置の録音動作を示すフロー図である。
【００４６】
先ず、Ｓ１００ステップでは、図２に示す接続手順により、自端末１０とＶｏＩＰ電話機Ａ〜Ｃとの間で接続を行う。尚、この接続手順は、従来技術で説明した接続手順と同一である為、説明を省略する。又、ＶｏＩＰ電話機Ａ〜Ｃとの接続手順中（図２に示すＳ２、Ｓ５、Ｓ８ステップに対応）に、接続した相手側からの２００ＯＫ信号に含まれている使用ＣＯＤＥＣ種別を示すデータと、ＭＡＣアドレスを第２格納部１４０の領域１４３に格納する。
【００４７】
続いて、Ｓ１０１ステップにおいて、制御部１００は、全ての端末Ａ〜Ｃと接続が完了したと判定すると、Ｓ１０２ステップへ処理を進め、そうでなければＳ１００ステップへ処理を戻す。
【００４８】
Ｓ１０２ステップでは、制御部１００は、相手側端末Ａ〜Ｃとの会話を開始すべく制御を行う。具体的には、制御部１００は、ＩＰ網Ｉ／Ｆ部１２０を介してＩＰ網から受信した各々の端末からのパケットデータを、ＤＳＰ１１０にて、パケットデータの先頭に付されたヘッダの情報を基に各端末毎にパケットデータを再構築させると共に、再構築されたパケットデータの先頭に付されたＣＯＤＥＣ識別子の示す伸長、圧縮方式毎に相手側の音声メッセージを音声伸長し、伸長した信号をＡＤＣ２２０にてアナログ信号に変換してスピーカ２００から出力する。この為、スピーカ２００からは、全ての端末Ａ〜Ｃから送信される音声データが出力される。
【００４９】
Ｓ１０３ステップでは、制御部１００は、話者選択キー１７２が押下されたと判定するとＳ１０４ステップへ処理を進める。
【００５０】
尚、上記話者選択キー１７２が押下される度に、表示部には“全員”、“端末Ａ”、“端末Ｂ”、“端末Ｃ”、“自端末１０”、“全員”とサイクリックに切り替わる。ユーザは、選択キーを押下し表示を切替えることにより相手側を選択することができる。
【００５１】
Ｓ１０４ステップでは、制御部１００は、上記Ｓ１０３ステップにて選択された話者の端末が端末Ａ、Ｂ、Ｃ又は全ての端末であると判定するとＳ１０５ステップへ処理を進め、そうでなければＳ１１２ステップへ処理を進める。
【００５２】
Ｓ１０５ステップでは、制御部１００は、録音ボタンが押下されたと判定するとＳ１０６ステップへ処理を進める。
【００５３】
Ｓ１０６ステップでは、制御部１００は、第２格納部１４０の領域１４３に格納されているＭＡＣアドレスの内、録音する相手側の端末のＭＡＣアドレス（例えば、端末Ａ）を第２格納部１４０の領域１４４に格納し、Ｓ１０７ステップへ処理を進める。
【００５４】
Ｓ１０７ステップでは、制御部１００は、第２格納部１４０の領域１４３に一時保存したＣＯＤＥＣ識別子を第２格納部１４０の音声メッセージ格納領域１４４に格納し、Ｓ１０８ステップへ処理を進める。
【００５５】
Ｓ１０８ステップでは、制御部１００は、録音する相手側の端末（例えば、端末Ａ）からの音声パケットデータを第２格納部１４０に格納する。具体的には、制御部１００は、Ｉ／Ｆ部を介してＩＰ網から受信した各々の端末からのパケットデータの内、パケットデータの先頭に付されたヘッダを参照することにより、録音する相手側の端末（例えば、端末Ａ）からのパケットデータのみを取出して上記第２格納部１４０に格納する。この時、第２格納部には、例えば図５に示す如く、上記Ｓ１０６ステップにて格納したＭＡＣアドレス（例えば、端末Ａのアドレス）と、上記ＭＡＣアドレスに対応するＣＯＤＥＣ識別子と、上記音声データを格納した時刻を示すデータ及び上記マックアドレスに対応する音声データ（例えば、端末Ａの音声データ）を格納する。尚、上記時刻データは、制御部１００内にある計時回路（図示せず）の計時する時刻データが格納される。
【００５６】
続くＳ１０９ステップでは、制御部１００は、入力部から停止ボタンの押下があると判定すると、Ｓ１１０ステップへ処理を進め、そうでなければＳ１０７ステップへ処理を戻す。
【００５７】
Ｓ１１０ステップでは、制御部１００は、録音処理を停止し、Ｓ１１１ステップへ処理を進める。
【００５８】
Ｓ１１１ステップでは、制御部１００は、入力部から再度停止キー１７５の押下があると判定すると録音処理を一時停止し、そうでなければＳ１０３ステップへ処理を戻す。
【００５９】
Ｓ１１２ステップでは、制御部１００は、録音キー１７３が押下されたと判定するとＳ１１３ステップへ処理を進める。
【００６０】
Ｓ１１３ステップでは、制御部１００は、第２格納部１４０の自身のデータを格納する領域１４２から、自身のＭＡＣアドレスを第２格納部１４０の音声メッセージを格納する領域１４４に複製、格納し、Ｓ１１４ステップへ処理を進める。
【００６１】
Ｓ１１４ステップでは、制御部１００は、第２格納部１４０の自身のデータを格納する領域から、音声メッセージを格納する領域へ自身のＣＯＤＥＣ識別子を複製、格納し、Ｓ１１５ステップへ処理を進める。
【００６２】
Ｓ１１５ステップでは、制御部１００は、自端末１０のユーザが発する音声信号を第２格納部１４０に格納する。具体的には、制御部１００は、マイク１９０から入力された音声信号を、ＡＤＣ２２０にてデジタル信号化し、ＤＳＰ１１０にて、上記音声信号を上記第２格納部１４０の音声メッセージを格納する領域１４４に格納されたＣＯＤＥＣ識別子の示す音声圧縮方式にて音声圧縮し、圧縮した音声メッセージを上記Ｓ１１３ステップで格納したＭＡＣアドレスと共に第２格納部の音声メッセージ格納領域１４４に格納する。続いて制御部１００は、Ｓ１０９ステップへ処理を進める。
【００６３】
続くＳ１１６ステップでは、制御部１００は、入力部から停止ボタンの押下があると判定すると、Ｓ１１０ステップへ処理を進め、そうでなければＳ１１４ステップへ処理を戻す。
【００６４】
Ｓ１１７ステップでは、制御部１００は、入力部から通話の終了を示す操作があると判定すると処理を終了し、そうでなければＳ１０２ステップへ処理を戻す。
【００６５】
このようにして、選択された相手側からの音声データが、ＭＡＣアドレスと共に第２格納部１４０に格納される。
【００６６】
尚、全てのユーザの音声メッセージを一度に格納すると、音声メッセージデータを格納するのに多くのメモリ容量を費やしてしまう。この為、本実施例では、メモリの容量をできるだけ費やさない為に指定された相手側の音声メッセージデータのみを格納する構成としている。
【００６７】
次に、録音した音声データを再生する際の動作について以下に説明する。
【００６８】
図７は、音声データ再生する際の動作を示すフロー図である。
【００６９】
先ず、Ｓ１２０ステップでは、制御部１００は、話者選択の操作があると判定するとＳ１２１ステップへ処理を進める。具体的には、上記話者選択キー１７２が押下される度に、制御部１００は、表示部１６０に“全員”、“端末Ａ”、“端末Ｂ”、“端末Ｃ”、“自端末１０”、“全員”とサイクリックに切り換え表示する。この為、ユーザは、話者選択キー１７２を押下し表示を切替えることにより相手側を選択することができる。
【００７０】
Ｓ１２１ステップでは、制御部１００は、再生キー１７４が押下されたと判定するとＳ１２２ステップへ処理を進める。
【００７１】
Ｓ１２２ステップでは、制御部１００は、表示部１６０に表示されている相手側に対応するＭＡＣアドレスを、第２格納部１４０の音声メッセージ格納領域１４４から読み出したと判定するとＳ１２５ステップへ処理を進め、そうでなければＳ１２３ステップへ処理を進める。
【００７２】
Ｓ１２３ステップでは、制御部１００は、他に表示部１６０に表示されている相手側に対応する音声メッセージデータがあると判定するとＳ１２２ステップへ処理を戻し、そうでなければ、Ｓ１２４ステップへ処理を進める。
【００７３】
尚、上記Ｓ１２２、Ｓ１２３ステップにおいて、このようなＭＡＣアドレスの比較処理を行うのは、上記Ｓ１２０ステップで選択された話者のデータが第２格納部に格納されているか否かを判定する為である。
【００７４】
Ｓ１２４ステップでは、制御部１００は、表示部に“データなし”と表示させ、処理を終了する。
【００７５】
Ｓ１２５ステップでは、制御部１００は、上記Ｓ１２２ステップにて一致したＭＡＣアドレスに対応するＣＯＤＥＣ識別子を第２格納部１４０の音声メッセージ格納領域１４４から読み出し、Ｓ１２６ステップへ処理を進める。
【００７６】
Ｓ１２６ステップでは、制御部１００は、上記Ｓ１２０ステップにおいて選択された話者の音声メッセージの再生処理を行う。具体的には、制御部１００は、上記Ｓ１２２ステップにて一致したＭＡＣアドレスに対応する相手側の音声メッセージのデータを第２格納部１４０の領域１４４から読み出し、ＤＳＰ１１０に、上記Ｓ１２５ステップにおいて読み出したＣＯＤＥＣ識別子による伸長方式により伸長を行わせ、ＡＤＣ２２０により伸長した音声信号をアナログ信号に変換させ、スピーカ２００から出力させる。
【００７７】
尚、上記Ｓ１２６ステップにおいて再生される音声メッセージの話者（送信元）が、端末Ａ〜Ｃ、或いは自端末１０である場合には、夫々のＭＡＣアドレスに対応する音声メッセージが再生されることとなり、一方、全ての端末からの音声メッセージを再生する再には、第２格納部１４０の領域１４４のＭＡＣアドレスを格納する領域に、端末Ａ〜Ｃおよび自端末１０のＭＡＣアドレスが格納された音声メッセージデータを再生することとなる。
【００７８】
Ｓ１２７ステップでは、制御部１００は、一時停止キー１７６の押下があると判定すると、Ｓ１２８ステップへ処理を進め、そうでなければ、Ｓ１３１ステップへ処理を進める。
【００７９】
Ｓ１２８ステップでは、制御部１００は、再生している音声メッセージの停止処理を行う。具体的には、制御部１００は、第２格納部１４０からの音声メッセージの読み出しを一旦停止すると共に、再生を一時停止した音声メッセージが格納されているアドレス番号を第１格納部１３０に格納する。
【００８０】
続くＳ１２９ステップでは、制御部１００は、再生キー１７４の押下があると判定すると、上記Ｓ１２８ステップにて格納したアドレス番号から音声メッセージの再生をすべくＳ１２５ステップへ処理を戻し、一方、再生キー１７４の押下を判定しなければ、Ｓ１３０ステップへ処理を進める。
【００８１】
Ｓ１３０ステップでは、制御部１００は、停止キー１７５の押下があると判定すると、再生処理を終了し、そうでなければ、Ｓ１２９ステップへ処理を戻す。
【００８２】
Ｓ１３１ステップでは、制御部１００は、音声メッセージの再生が終了したと判定すると、音声メッセージの再生処理を終了し、一方、そうでなければ、Ｓ１３２ステップへ処理を進める。
【００８３】
Ｓ１３２ステップでは、制御部１００は、停止キー１７５の押下があると判定すると音声メッセージの再生処理を終了し、そうでなければ、Ｓ１２２ステップへ処理を戻し、音声メッセージの再生処理を継続する。
【００８４】
このように、本実施例装置では、複数の相手側から送信されるパケットデータの内、所望の相手側のパケットデータのみ取出し、相手側のＭＡＣアドレスに対応付けて格納可能としている為、ユーザが選択した話者毎に音声メッセージを録音することが可能である。又、音声メッセージの再生時には、ユーザが選択した話者の音声メッセージのみ再生することが可能である。
【００８５】
この為、ユーザは話者を選択して音声メッセージを聞くことが可能であり、誰が何を話したかを容易に理解することができる。又、会議通話にける議事録を文書化したい場合には、話者毎に音声メッセージを聞くことが可能であるので、容易に会議内容を理解し、書き留めることが可能である。
【００８６】
尚、このような効果は、パケットデータを送信して通話を行う為に、通話品質が問題となっているＶｏＩＰ電話機においては、特に効果を発揮するものである。
【００８７】
又、本実施例では、ＶｏＩＰ電話機について実施したが、音声データをパケットデータとして送受信する装置、拡散符号を付して送信したデータを逆拡散符号により再生する装置等、複数ユーザからのデータを受信し、ユーザ毎にデータを取出す装置であれば、これに限定するものではない。
【００８８】
【発明の効果】
本発明は、容易に相手側の会話を聞き取ることを可能にする。
【図面の簡単な説明】
【図１】本発明を適用してなる実施例装置のシステム図である。
【図２】図１のシステム図における接続シーケンス図である。
【図３】本実施例装置の外観斜視図である。
【図４】本実施例装置のブロック図である。
【図５】第２格納部１４０の格納形態を示す図である。
【図６】本実施例装置の動作を示すフロー図である。
【図７】本実施例装置の動作を示すフロー図である。
【符号の説明】
１００　ＣＰＵ
１１０　ＤＳＰ
１２０　ＩＰ網Ｉ／Ｆ部
１４０　第２格納部
１９０　マイク
２００スピーカ
２２０　ＡＤＣ
【図１】
2004015359.tif 000003
【図２】
2004015359.tif 000004
【図３】
2004015359.tif 000005
【図４】
2004015359.tif 000006
【図５】
2004015359.tif 000007
【図６】
2004015359.tif 000008
【図７】
2004015359.tif 000009